(57)【要約】      （修正有）【課題】音楽ＣＤを再生してスピーカから音声を鳴らすだけの場合に不要なＴＶ画面の表示を無くして操作を簡単にする光ディスク再生装置。  【解決手段】  光ディスク再生装置は、音声データが記録された第１の光ディスクを再生してスピーカへ音声出力可能であるとともに、映像データが記録された第２の光ディスクを再生して外部のディスプレイ装置へ映像出力可能であり、第１の光ディスクの再生に関する操作入力状態を表示可能なディスプレイパネルを内蔵する光ディスク再生装置であって、第１及び第２の光ディスクの再生に関する少なくとも操作入力状態表示用の映像信号を外部のディスプレイ装置へ出力させる出力部と、第１の光ディスクの操作入力状態をディスプレイパネルに表示させる内蔵ディスプレイパネル表示モード、又は当該操作入力状態をディスプレイ装置に表示させる外部ディスプレイ装置表示モードのいずれかを選択できる表示モード決定部を備える。【選択図】  図３
2005317062.tif 000002
【特許請求の範囲】
【請求項１】
音声データが記録された第１の光ディスクを再生してスピーカへ音声出力可能であるとともに、少なくとも映像データが記録された第２の光ディスクを再生して外部のディスプレイ装置へ映像出力可能であり、前記第１の光ディスクの再生に関する操作入力状態を表示可能なディスプレイパネルを内蔵する光ディスク再生装置であって、
前記第１の光ディスク及び前記第２の光ディスクの再生に関する少なくとも操作入力状態を表示させるための映像信号を前記外部のディスプレイ装置へ出力させる第１の操作入力状態出力部と、
前記第１の光ディスクの前記操作入力状態を前記ディスプレイパネルに表示させる内蔵ディスプレイパネル表示モード、あるいは、当該操作入力状態を前記ディスプレイ装置に表示させる外部ディスプレイ装置表示モードのいずれかを選択する操作入力に応じ、当該いずれかの前記表示モードを決定する表示モード決定部と、
前記内蔵ディスプレイパネル表示モードが選択された場合、前記第１の光ディスクの少なくとも前記操作入力状態を前記ディスプレイパネルに表示させる第２の操作入力状態出力部と、
を備えることを特徴とする光ディスク再生装置。
【請求項２】
第１の光ディスクはコンパクトディスクであることを特徴とする請求項１に記載の光ディスク再生装置。
【請求項３】
第２の光ディスクはDVD（digital versatile disk）であることを特徴とする請求項１に記載の光ディスク再生装置。
【請求項４】
前記表示モード決定部は、前記第１の光ディスクあるいは前記第２の光ディスクの何れかを判別して、その判別結果に応じ、前記内蔵ディスプレイパネル表示モード、あるいは、外部ディスプレイ装置表示モードのいずれかを決定することを特徴とする請求項１に記載の光ディスク再生装置。
【請求項５】
前記ディスプレイパネル表示モードが選択された場合、
前記第１の操作入力状態出力部は、前記第１の光ディスクの前記操作入力状態に関するデータを前記第２の操作入力状態出力部に出力することを特徴とする請求項１に記載の光ディスク再生装置。
【請求項６】
前記ディスプレイパネル表示モードが選択された場合、前記第１の操作入力状態出力部は、前記第１の光ディスクの操作入力状態に代えて、当該ディスプレイパネル表示モードである旨を前記外部のディスプレイ装置に表示させる、
ことを特徴とする請求項１に記載の光ディスク再生装置。
【請求項７】
前記第１の操作入力状態出力部は、マイクロコンピュータで構成され、前記第１の光ディスク及び前記第２の光ディスクの再生処理部とともに集積回路化されていることを特徴とする請求項１に記載の光ディスク再生装置。
【請求項８】
前記第２の操作入力状態出力部は、マイクロコンピュータで構成され、前記データに基づき前記ディスプレイパネルへ表示信号を送出するためのディスプレイドライバを含むことを特徴とする請求項１に記載の光ディスク再生装置。
【発明の詳細な説明】
【技術分野】
【０００１】
本発明は、光ディスク再生装置に関する。
【背景技術】
【０００２】
ＴＶ画面でＤＶＤ（digital versatile disk; digital video disc）の再生映像を楽しむべく、ＣＤ（compact disc）の再生機能も備えたＤＶＤ再生装置が市場に出回り始めている。このＤＶＤ再生装置にあっては、ＣＤを再生しようとすると、ＴＶ画面を通じて操作をしなければならない。すなわち、このような操作手法は、ＯＳＤ（on screen display）と呼ばれ、ＴＶ受像機の電源が入った状態で、ＴＶ画面に映し出されるメニュー画面のオンスクリーンガイドに従い、ＣＤの再生に関する各種設定をリモコン等で操作する必要がある。この画面に表示されるメニューは階層構造になっている。例えば、ユーザは、リモコン等を用い、先ず、上位の階層メニューでＣＤ再生モードのフォルダを選択する。すると、リピート再生やプログラム再生等の再生モードの設定を受け付ける入力画面が表示される。そして、ユーザは、ＣＤの再生モードに関する設定の入力を行う。このような操作入力のプロセスを経た上で、最終的に、ＣＤを実際に再生してスピーカから音声が出力可能な段階に到達することができる（例えば、特許文献１参照。）。
【０００３】
そして、実際のＣＤの再生時にスピーカから音声が出力されている間も、ＴＶ画面には、ＤＶＤ再生装置やそのメーカのロゴマーク等が表示されている。
【特許文献１】特開平２００２−１９０９９２号公報
【発明の開示】
【発明が解決しようとする課題】
【０００４】
前述した背景技術にあっては、実際のＣＤの再生に至るまでに、わざわざＴＶ画面を通じた複雑な操作入力のプロセスを経ざるを得ず、ユーザに煩雑な操作入力を強いる結果を招き、不便であった。また、ＣＤの再生時でも、ＴＶ画面には、本来必要としないロゴマーク等が表示され、ユーザにとってその表示が煩わしいだけでなく、ＴＶ受像機の動作電力を不要に消費するといった不具合もあった。
【課題を解決するための手段】
【０００５】
本発明に係る光ディスク再生装置では、音声データが記録された第１の光ディスクを再生してスピーカへ音声出力可能であるとともに、少なくとも映像データが記録された第２の光ディスクを再生して外部のディスプレイ装置へ映像出力可能であり、前記第１の光ディスクの再生に関する操作入力状態を表示可能なディスプレイパネルを内蔵する光ディスク再生装置であって、前記第１の光ディスク及び前記第２の光ディスクの再生に関する少なくとも操作入力状態を表示させるための映像信号を前記外部のディスプレイ装置へ出力させる第１の操作入力状態出力部と、前記第１の光ディスクの前記操作入力状態を前記ディスプレイパネルに表示させる内蔵ディスプレイパネル表示モード、あるいは、当該操作入力状態を前記ディスプレイ装置に表示させる外部ディスプレイ装置表示モードのいずれかを選択する操作入力に応じ、当該いずれかの前記表示モードを決定する表示モード決定部と、前記内蔵ディスプレイパネル表示モードが選択された場合、前記第１の光ディスクの少なくとも前記操作入力状態を前記ディスプレイパネルに表示させる第２の操作入力状態出力部とを備える。
【０００６】
よって、内蔵のディスプレイパネルで表示するモードの場合、第１の光ディスクの再生に関する操作入力状態がディスプレイパネルに表示される。よって、音楽ＣＤ等の光ディスクを再生して音声出力するに際し、再生や停止、リピート（繰り返し）といった再生動作に関する操作入力状態を表示するにあたり、いわゆるＯＳＤでもってわざわざＴＶ受像機等の外部のディスプレイ装置に表示させることなく、ＬＣＤ等のディスプレイパネルに表示させるだけで済む。そして、ユーザは、ＴＶ受像機を介さずディスプレイパネルの表示を見ながら素早く簡単な操作を行うことができる。
【０００７】
したがって、音楽ＣＤ等を再生してスピーカから音声を鳴らすだけの場合、ユーザにとって不要なＴＶ画面の表示を無くすことができ、音楽ＣＤ再生機能のみの単純なプレーヤー同様、ユーザフレンドリーな操作環境を提供することができる。また、不要なＴＶ画面の表示を無くすことができるため、ＴＶ受像機の電源オンオフの煩わしい操作を省ける上、その消費電力を低減できる。
【０００８】
また、第１の光ディスクはコンパクトディスクであってもよい。さらに、第２の光ディスクはＤＶＤ（digital versatile disk）であってもよい。
【０００９】
さらにまた、前記表示モード決定部は、前記第１の光ディスクあるいは前記第２の光ディスクの何れかを判別して、その判別結果に応じ、前記内蔵ディスプレイパネル表示モード、あるいは、外部ディスプレイ装置表示モードのいずれかを決定することとしてもよい。  
よって、ユーザの表示モードの選択操作に加え、光ディスクの種類に応じ、操作入力状態を外部のディスプレイ装置あるいは内蔵のディスプレイパネルに表示させることができる。
【００１０】
また、前記ディスプレイパネル表示モードが選択された場合、前記第１の操作入力状態出力部は、前記第１の光ディスクの前記操作入力状態に関するデータを前記第２の操作入力状態出力部に出力してもよい。  
よって、第１の光ディスクの再生について、操作入力状態に関するデータを前記第２の操作入力状態出力部が取得できる。よって、第１の光ディスクの再生にあたり、過去に設定された操作入力状態を再利用でき、ユーザがあらためて操作入力を行わなくて済む。よりユーザフレンドリーな操作環境を提供することができる。
【００１１】
さらに、前記ディスプレイパネル表示モードが選択された場合、前記第１の操作入力状態出力部は、前記第１の光ディスクの操作入力状態に代えて、当該ディスプレイパネル表示モードである旨を前記外部のディスプレイ装置に表示させてもよい。
【００１２】
さらにまた、前記第１の操作入力状態出力部は、マイクロコンピュータで構成され、前記第１の光ディスク及び前記第２の光ディスクの再生処理部とともに集積回路化されてもよい。
【００１３】
また、前記第２の操作入力状態出力部は、マイクロコンピュータで構成され、前記データに基づき前記ディスプレイパネルへ表示信号を送出するためのディスプレイドライバを含んでもよい。
【発明の効果】
【００１４】
内蔵のディスプレイパネルで表示するモードの場合、第１の光ディスクの再生に関する操作入力状態がディスプレイパネルに表示される。よって、音楽ＣＤ等の光ディスクを再生して音声出力するに際し、再生や停止、リピートといった再生動作に関する操作入力状態を表示するにあたり、いわゆるＯＳＤでもってわざわざＴＶ受像機等の外部のディスプレイ装置に表示させることなく、ＬＣＤ等のディスプレイパネルに表示させるだけで済ませることができる。そして、ユーザは、ＴＶ受像機を介さずディスプレイパネルの表示を見ながら素早く簡単な操作を行うことができる。
【００１５】
したがって、音楽ＣＤ等を再生してスピーカから音声を鳴らすだけの場合、ユーザにとって不要なＴＶ画面の表示を無くすことができ、音楽ＣＤ再生機能のみの単純なプレーヤー同様、ユーザフレンドリーな操作環境を提供することができる。また、不要なＴＶ画面の表示を無くすことができるため、ＴＶ受像機の電源オンオフの煩わしい操作を省ける上、その消費電力を低減できる。
【発明を実施するための最良の形態】
【００１６】
＝＝＝全体構成＝＝＝
本形態に係る光ディスク再生装置の一実施例の構成について、図１のブロック図を参照にして説明する。なお、図１の符号に対応する各ブロックは英語で表記してあるが、本明細書中では日本語で対応付けて説明する。光ディスク再生装置は、ＣＤ（第１の光ディスク）やＤＶＤ（第２の光ディスク）等の種々の光ディスクに対し、再生可能に構成されている。例えば、ＣＤには、少なくとも音声データが記録されており、ＤＶＤには、少なくとも映像データが記録されている。この光ディスク再生装置は、光ディスクの駆動再生系ブロック１００とコントロール系ブロック２００とで構成される。光ディスク駆動再生系ブロック１００は、光ディスク駆動機構部１１０、機構ドライバ１２０、ＲＦアンプ部１３０、デコーダー部１４０、ビデオドライバ１５０、Ｄ／Ａコンバータ１６０、ＬＰＦ(low pass filter)１７０、フレームメモリ１８０、及びＳＤＲＡＭ（synchronous dynamic random access memory）１９０を備える。
【００１７】
一方、コントロール系ブロック２００は、コントローラ（表示モード決定部，第２の操作入力状態出力部）２１０、チューナー２２０、機能選択スイッチ回路２３０、電子ボリューム回路２４０、オーディオアンプ２５０、操作キー入力インターフェース２６０、及びディスプレイパネル２７０を備える。
【００１８】
先ず、光ディスク駆動再生系ブロック１００について説明する。光ディスク駆動機構部１１０は、光ディスクを回転させるスピンドルモータや光ピックアップを備える。機構ドライバ１２０は、スピンドルモータや光ピックアップを駆動すべく、フォーカスサーボ信号やトラッキングサーボ信号、ピックアップモータ用送り制御信号、及び、スピンドルサーボ信号を生成し、光ディスク駆動機構部１１０へ送出する。ＲＦアンプ部１３０は、ＡＰＣ（automatic phase control）及びイコライザーとともに、集積化されて１チップ化されている。このＲＦアンプ部１３０は、光ディスク駆動機構１１０の光ピックアップから得られるＲＦ信号を増幅して必要な処理を加えた上で、デコーダー部１４０へ送出する。
【００１９】
このデコーダー部１４０は、ＣＤとＤＶＤ等の種々の光ディスクに対応可能な再生処理部として各種回路が集積化されて１チップとなっている。このデコーダー部１４０を構成する各種回路としては、システムコントローラ（第１の操作入力状態出力部）１４０ａの他、ＣＤ再生処理部１４０ｂ、ＣＤ−ＲＯＭデコーダー１４０ｃ、ＤＶＤ再生処理部１４０ｄ、ＤＶＤ用ＥＣＣ（Error Collection Code）処理部１４０ｅ、ＭＰＥＧ２ビデオ処理部１４０ｆ、及びＡＣ３オーディオ処理部１４０ｇ、ＡＶインタフェース１４０ｈ、通信インタフェース１４０ｉ、及びサーボコントローラ１４０ｊである。システムコントローラ１４０ａは、マイクロコンピュータで構成され、コントロール系ブロック２００のコントローラ２１０からのデータやクロック信号に従い、再生処理動作を統括する。ＣＤ再生処理部１４０ｂは、ＰＬＬ(Phase Locked Loop)回路、並びに、ＥＦＭ復調回路及び誤り訂正用回路を備える。ＤＶＤ再生処理部１４０ｄは、ＰＬＬ回路及びＥＦＭ復調回路を備える。
【００２０】
このような構成のデコーダー部１４０にあっては、ＲＦアンプ部１３０からのＲＦ信号に基づきシステムコントローラ１４０ａを中心に、各回路１４０ａ〜１４０ｊ並びにフレームメモリ１８０及びＳＤＲＡＭ１９０が協働し、ＤＶＤ及びＣＤの再生処理を実行する。この再生処理の結果、オーディオ信号について、誤り訂正されたデータビットが、ＤＡＣ１６０でオーディオ信号に変換され、ＬＰＦ１７０を経てＬ信号及びＲ信号として機能選択スイッチ回路２３０に入力される。この機能選択スイッチ回路２３０に入力されたＬ信号及びＲ信号は、電子ボリューム回路２４０及びオーディオアンプ２５０を経て外部のスピーカへ出力される。また、デコーダー部１４０で得られた再生信号がビデオドライバ１５０を介し、映像信号として外部のＴＶ受像機に送出される。さらに、サーボコントローラ１４０ｊは、スピンドルモータや光ピックアップの駆動に必要な前述した各種信号を機構ドライバ１２０に送出する。
【００２１】
次に、コントロール系ブロック２００について説明する。コントローラ２１０は、マイクロコンピュータで構成され、操作キー入力インターフェース２６０からの信号に応じ、光ディスク駆動再生系ブロック１００、チューナー２２０、機能選択スイッチ回路２３０、電子ボリューム回路２４０、オーディオアンプ２５０、及びディスプレイパネル２７０を統括制御する。
【００２２】
まず、操作キー入力インターフェース２６０は、ユーザからの操作入力を受けるべく、スイッチやボタン及びリモコン受信部等のインタフェースを有する。操作キー入力インターフェース２６０は、ユーザの操作入力に応じ、電源の投入やオフをはじめ、ＣＤやＤＶＤ等の光ディスク再生機能とラジオ機能等に関する操作入力信号をコントローラ２１０へ出力する。コントローラ２１０は、この操作入力信号に従い、光ディスクの再生機能が選択された場合には、光ディスク駆動再生系ブロック１００のシステムコントローラ１４０ａに所定のデータを送り、光ディスクの再生動作を実行させる。また、コントローラ２１０は、ラジオ機能が選択された場合には、機能選択スイッチ回路２３０及び電子ボリューム回路２４０を介してチューナ２２０からのラジオ信号をオーディオアンプ２５０に入力させ、外部のスピーカからラジオ音声を出力させる。なお、外部入力(AUX INPUT)からの音声信号も、同様に、オーディオアンプ２５０に入力させ、外部のスピーカからラジオ音声を出力させる。
【００２３】
また、コントローラ２１０は、ディスプレイドライバを備え、再生動作の状態を含む操作入力状態等の各種情報を表示すべく、ディスプレイドライバからディスプレイパネル２７０に表示信号を出力させる。ディスプレイパネル２７０は、いわゆるミニコンポで採用される操作入力や再生状態を表示するためのＬＣＤやＬＥＤ等で構成される。すなわち、ディスプレイパネル２７０は、ディスプレイドライバからの出力信号に基づき、各種情報を表示するだけの機能しかなく、光ディスクの再生映像を表示する機能はない。
【００２４】
この表示される各種情報としては、ユーザの操作入力の受付状態をはじめ、光ディスク再生装置全体の動作状態を示す電源の投入状態や、ラジオ機能時ではＡＭ／ＦＭの帯域種別やカウントした受信周波数、そして、光ディスク再生機能時では光ディスクの種別や動作状態、トラックナンバ及び再生モード等である。
【００２５】
このように表示される各種情報は、後に詳述するが、ディスプレイパネル２７０だけでなく、操作入力により、ＤＶＤ等からの映像信号が表示されるＴＶ受像機にも表示される。すなわち、コントローラ２１０は、前述した各種情報をＴＶ受像機に表示させるべく、光ディスク駆動再生系ブロック１００の通信インタフェース１４０ｉを通じ、システムコントローラ１４０ａにデータを送出する。このデータに基づき、システムコントローラ１４０ａは、前述した各種情報を表示させるべく、ビデオドライバ１５０から映像信号をＴＶ受像機に送出させる。
【００２６】
例えばＣＤのリピート再生やプログラム再生等の再生モードに関する操作入力は、システムコントローラ１４０ａに付帯するメモリに記憶されて設定登録され、その操作入力に関するデータとして保持される。
【００２７】
＝＝＝光ディスクの種類や記録されたデータの種別に応じた表示動作＝＝＝
図１を参照して前述した構成の光ディスク再生装置において、再生動作の状態を含む操作入力状態等の各種情報を表示するにあたり、光ディスクの種類や記録されたデータの種別に応じた表示動作について説明する。
【００２８】
先ず、図２のフローチャートに示すように、光ディスクの情報格納領域から光ディスクの種別（タイプ）等を含む各種の情報を読み出す（Ｓ１０）。コントローラ２１０は、その光ディスクの種類や記録されたデータの種別を判別する。この判別結果に応じ、光ディスクの操作入力や再生動作の状態を表示させるにあたり、外部のディスプレイ装置に表示させる外部ディスプレイ装置表示モード（Navi on，OSD）とするか、あるいは、内蔵のディスプレイパネルに表示させる内蔵ディスプレイパネルモード（Navi off ）とするか、まず初期設定する（Ｓ２０）。
【００２９】
この内蔵ディスプレイパネル表示モードに対応する光ディスクとは、例えば、音声データが記録されたＣＤやＭＰ３規格の音声データが記録された光ディスクである。また、外部ディスプレイ装置表示モードに対応する光ディスクとは、例えば、映像データが記録されたＤＶＤやビデオＣＤ、ＪＰＥＧ規格の映像データが記録された光ディスクである。なお、このような光ディスクの種類や記録されたデータの種別に応じた二つの前記表示モードの対応関係に関するデータは、コントローラ２１０に付帯するメモリに予め記録されている。
【００３０】
そして、ユーザによるリモコン操作等で外部ディスプレイ装置表示モードをオンあるいはオフか否かを選択する操作入力を待つ（Ｓ３０：ＮＯ）。その操作入力があった場合（Ｓ３０：ＹＥＳ）には、光ディスクが外部ディスプレイ装置表示モードのみしか対応しない種別（例えば、映像データが記録されたＤＶＤやビデオＣＤ、ＪＰＥＧ規格の映像データが記録された光ディスク）であった場合（Ｓ４０：ＹＥＳ）、内蔵のディスプレイパネルは、外部ディスプレイ装置表示モードである旨を表示し（Ｓ５０）、Ｓ３０の処理に戻る。
【００３１】
反対に、前述したＳ４０の判定がＮＯの場合、光ディスクが回転せずに停止しているか否かを判断し、停止していなければ（Ｓ６０：ＮＯ）、停止する操作を行うことを要請する旨を内蔵のディスプレイパネルは表示し（Ｓ７０）、Ｓ３０の処理に戻る。一方、光ディスクが回転せずに停止している場合（Ｓ６０：ＹＥＳ）、コントローラ２１０及びシステムコントローラ１４０ａは、付帯するメモリ（ＲＡＭ）を消去し、光ディスクの再生モード（例えばプログラム再生やランダム再生）に関する設定をリセットする（Ｓ８０）。すなわち、ユーザは、光ディスクの再生にあたり、その再生モードをあらためて操作入力することになる。
【００３２】
そして、前述したＳ２０において、外部ディスプレイ装置表示モードと設定されていた場合、内蔵のディスプレイパネル２７０及び外部のディスプレイ装置は、数秒間、外部ディスプレイ装置表示モード（ナビモード）である旨の表示を行い（Ｓ９０→Ｓ１００）、前述のＳ３０の処理に戻る。
【００３３】
一方、前述したＳ２０において、内蔵ディスプレイパネル表示モードと設定されていた場合、内蔵のディスプレイパネル２７０は、数秒間、内蔵ディスプレイパネル表示モードである旨の表示を行うとともに、外部のディスプレイ装置は、この内蔵ディスプレイパネル表示モード（ナビレスモード）の間中、当該モードである旨の表示を行い（Ｓ９０→Ｓ１１０）、前述のＳ３０の処理に戻る。
【００３４】
この内蔵ディスプレイパネル表示モードでは、内蔵のディスプレイパネルに表示される。よって、音楽ＣＤ等の光ディスクを再生して音声出力するに際し、再生や停止、リピートといった再生動作に関する操作入力状態を表示するにあたり、いわゆるＯＳＤでもってわざわざＴＶ受像機等の外部のディスプレイ装置に表示させることなく、ＬＣＤ等のディスプレイパネルに表示させるだけで済ませることができる。そして、ユーザは、ＴＶ受像機を介さずディスプレイパネルの表示を見ながら素早く簡単な操作を行うことができる。
【００３５】
したがって、音楽ＣＤ等を再生してスピーカから音声を鳴らすだけの場合、ユーザにとって不要なＴＶ画面の表示を無くすことができ、音楽ＣＤ再生機能のみの単純なプレーヤー同様、ユーザフレンドリーな操作環境を提供することができる。また、不要なＴＶ画面の表示を無くすことができるため、ＴＶ受像機の電源オンオフの煩わしい操作を省ける上、その消費電力を低減できる。
【００３６】
次に、図２のフローチャートを示して説明した表示動作とは、別の動作例について図３のフローチャートを参照して説明する。先ず、光ディスクの情報格納領域から光ディスクの種別等を含む各種の情報を読み出す（Ｓ２１０）。コントローラ２１０は、その光ディスクの種類や記録されたデータの種別を判別する。この判別結果に応じ、光ディスクの操作入力や再生動作の状態を表示させるにあたり、前述の外部ディスプレイ装置表示モード（Navi on）とするか、あるいは、前述の内蔵ディスプレイパネルモード（Navi off）とするか、まず初期設定する（Ｓ２２０）。
【００３７】
そして、ユーザによるリモコン操作等で外部ディスプレイ装置表示モードをオンあるいはオフか否かを選択する操作入力を待つ（Ｓ２３０：ＮＯ）。その操作入力があった場合（Ｓ２３０：ＹＥＳ）には、光ディスクが外部ディスプレイ装置表示モードのみしか対応しない種別であった場合（Ｓ２４０：ＹＥＳ）、内蔵のディスプレイパネルは、外部ディスプレイ装置表示モードである旨を表示し（Ｓ２５０）、Ｓ２３０の処理に戻る。
【００３８】
反対に、前述したＳ２４０の判定がＮＯの場合、光ディスクがＤＶＤであるかを判断し、ＤＶＤであれば（Ｓ２６０：ＹＥＳ）、内蔵のディスプレイパネルは、外部ディスプレイ装置表示モードである旨を表示する（Ｓ２５０）。一方、光ディスクがＤＶＤでない場合（Ｓ２６０：ＮＯ）、コントローラ２１０は、システムコントローラ１４０ａから光ディスクの再生モードに関する設定データを取得する（Ｓ２７０）。具体的には、システムコントローラ１４０ａが、光ディスクの再生モードに関する設定データをコントローラ２１０に出力する。すなわち、ユーザは、光ディスクの再生にあたり、その再生モードをあらためて操作入力する必要がない。
【００３９】
次に、前述したＳ２２０において、外部ディスプレイ装置表示モードと設定されていた場合には、内蔵のディスプレイパネル２７０及び外部のディスプレイ装置は、数秒間、外部ディスプレイ装置表示モード（ナビモード）である旨の表示を行い（Ｓ２８０→Ｓ２９０）、前述のＳ２３０の処理に戻る。一方、前述したＳ２２０において、内蔵のディスプレイパネル２７０は、数秒間、内蔵ディスプレイパネル表示モード（ナビレスモード）である旨の表示を行うとともに、外部のディスプレイ装置は、この内蔵ディスプレイパネル表示モードの間中、当該モードである旨の表示を行い（Ｓ２８０→Ｓ３００）、前述のＳ２３０の処理に戻る。
【００４０】
以上、説明した実施例は、単なる一例であって、この発明の精神を逸脱しない範囲で種々の変更が可能である。例えば、本発明に係る光ディスク再生装置が外部のＴＶ受像機等のディスプレイ装置と一体化されたＤＶＤプレイヤー付ＴＶ等の態様も、本発明に含まれる。
【図面の簡単な説明】
【００４１】
【図１】本発明の一実施の形態に係る光ディスク再生装置の機能ブロック図である。
【図２】本発明の一実施の形態に係る光ディスク再生装置による光ディスクの種類や記録されたデータの種別に応じた表示動作を示すフローチャートである。
【図３】本発明の一実施の形態に係る光ディスク再生装置による光ディスクの種類や記録されたデータの種別に応じた別の表示動作例を示すフローチャートである。
【符号の説明】
【００４２】
１００    光ディスクの駆動再生系ブロック
１１０    光ディスク駆動機構部
１２０    機構ドライバ
１３０    ＲＦアンプ部
１４０    デコーダー部
１４０ａ  システムコントローラ（第１の操作入力状態出力部）
１４０ｂ  ＣＤ再生処理部
１４０ｃ  ＣＤ−ＲＯＭデコーダー
１４０ｄ  ＤＶＤ再生処理部
１４０ｅ  ＤＶＤ用ＥＣＣ（Error Collection Code）処理部
１４０ｆ  ＭＰＥＧ２ビデオ処理部
１４０ｇ  ＡＣ３オーディオ処理部
１４０ｈ  ＡＶインタフェース
１４０ｉ  通信インタフェース
１４０ｊ  サーボコントローラ
１５０    ビデオドライバ
１６０    Ｄ／Ａコンバータ
１７０    ＬＰＦ(low pass filter)
１８０    フレームメモリ
１９０    ＳＤＲＡＭ（synchronous dynamic random access memory）
２００    コントロール系ブロック
２１０    コントローラ（表示モード決定部，第２の操作入力状態出力部）
２２０    チューナー
２３０    機能選択スイッチ回路
２４０    電子ボリューム回路
２５０    オーディオアンプ
２６０    操作キー入力インターフェース
２７０    ディスプレイパネル
【図１】
2005317062.tif 000003
【図２】
2005317062.tif 000004
【図３】
2005317062.tif 000005